(57)【要約】【課題】本発明は、工具用バッテリを電動工具以外の電気機器の電源として使用できるようにして工具用バッテリの利用価値を高めるとともに、電気機器を小型軽量化することである。【解決手段】本発明に係る電機機器システムは、電動工具の電源として使用される工具用バッテリ３０と、電動工具以外の電気機器２０と、工具用バッテリ３０と電気的、機械的に連結、あるいは連結解除可能に構成されたバッテリ側連結部４３と、電気機器２０と電気的、機械的に連結される機器側連結部４５ｆとが設けられたアダプタ４０とを有する。【選択図】図２
2011233410.tif 000002
【特許請求の範囲】
【請求項１】
電動工具の電源として使用される工具用バッテリと、
前記電動工具以外の電気機器と、
前記工具用バッテリと電気的、機械的に連結、あるいは連結解除可能に構成されたバッテリ側連結部と、前記電気機器と電気的、機械的に連結される機器側連結部とが設けられたアダプタと、
を有することを特徴とする電気機器システム。
【請求項２】
請求項１に記載された電気機器システムであって、
前記アダプタの機器側連結部がバッテリ側連結部よりも小さく構成されていることを特徴とする電気機器システム。
【請求項３】
請求項１又は請求項２のいずれかに記載された電気機器システムであって、
前記アダプタの機器側連結部とバッテリ側連結部とは電線で接続されていることを特徴とする電気機器システム。
【請求項４】
請求項１から請求項３のいずれかに記載された電気機器システムであって、
前記電気機器と前記アダプタの機器側連結部とが連結、あるいは連結解除可能に構成されていることを特徴とする電気機器システム。
【請求項５】
請求項３又は請求項４のいずれかに記載された電気機器システムであって、
前記電気機器には、その電気機器を身体に装着するための装着具が設けられていることを特徴とする電気機器システム。
【請求項６】
請求項１から請求項５のいずれかに記載された電気機器システムであって、
前記アダプタには、そのアダプタを身体に装着するための装着具が設けられていることを特徴とする電気機器システム。
【請求項７】
請求項１から請求項６のいずれかに記載された電気機器システムであって、
前記電気機器は、ハウジングと、そのハウジングに装着されて機器としての機能を果たす機能部とを備えており、前記機能部が前記ハウジングに対して角度調整可能なように装着されていることを特徴とする電気機器システム。
【請求項８】
請求項１から請求項７のいずれかに記載された電気機器システムであって、
前記電気機器のハウジングは、扁平な箱状に形成されていることを特徴とする電気機器システム。
【請求項９】
請求項１から請求項８のいずれかに記載された電気機器システムであって、
前記電気機器のハウジングは、その電気機器を支柱や台に保持するための補助具が取付け可能に構成されていることを特徴とする電気機器システム。
【請求項１０】
請求項１から請求項９のいずれかに記載された電気機器システムであって、
前記アダプタのバッテリ側連結部は、前記電気機器の定格電圧と等しい電圧の前記工具用バッテリが連結できるように構成されていることを特徴とする電気機器システム。
【請求項１１】
請求項１に記載された電気機器システムであって、
前記アダプタの機器側連結部とバッテリ側連結部とは一体に構成されていることを特徴とする電気機器システム。
【請求項１２】
請求項１から請求項１１のいずれかに記載された電気機器システムであって、
前記電気機器には、前記電線を有する前記アダプタの機器側連結部が連結される第一の連結部と、前記電線を有しない前記アダプタの機器側連結部が連結される第二の連結部とが設けられていることを特徴とする電気機器システム。
【請求項１３】
請求項１から請求項１２のいずれかに記載された電気機器システムであって、
前記電気機器は、ライト、拡声器、音楽再生機器、スキャナ、扇風機、距離計、及び墨だし器のいずれかであることを特徴とする電気機器システム。
【請求項１４】
電動工具の電源として使用される工具用バッテリと電気的、機械的に連結、あるいは連結解除可能に構成されたバッテリ側連結部と、
前記電動工具以外の電気機器と電気的、機械的に連結される機器側連結部と、
を有することを特徴とするアダプタ。
【発明の詳細な説明】
【技術分野】
【０００１】
本発明は、電動工具以外の電気機器と、電動工具の電源として使用される工具用バッテリとを備える電気機器システム、及びそれに使用されるアダプタに関する。
【背景技術】
【０００２】
工具用バッテリは、電動工具専用に使用されるバッテリであり、電動工具以外の電気機器に使用されるようには作られていない。即ち、工具用バッテリは対応する電動工具に連結されることで、その電動工具と電気的に接続される構成であり、電動工具以外の電気機器には連結できないように構成されている。
しかし、工具用バッテリは高負荷に対応でき、高い耐久性を有している。また、充電によって何度も使用可能である。このため、工具用バッテリが電動工具以外の電気機器と電気的に接続できるようになれば、これらの電気機器にとっても有用である。
一方、電動工具以外の電気機器、例えば、交流電源が存在しない場所で使用可能な携帯用ライトが特許文献１に記載されている。この携帯用ライトは電池式のライトであり、ライトハウジング内に電池が収納されるように構成されている。また、ライトハウジングには、クリップが設けられており、このクリップを利用して、携帯用ライトを希望する位置に固定できるようになる。
【先行技術文献】
【特許文献】
【０００３】
【特許文献１】特開２０００−２０５２４２号公報
【発明の概要】
【発明が解決しようとする課題】
【０００４】
しかし、ライトハウジング内に電池が収納される構成の携帯用ライトでは、電池を収納する分だけライトハウジングが大型化し、携帯用ライトの重量も大きくなる。このような、携帯用ライトに、例えば、工具用バッテリが接続できるようになれば、電池が不要になる分だけ携帯用ライト本体を小型軽量化でき、使い勝手が向上する。
【０００５】
本発明は、上記問題点を解決するためになされたものであり、本発明が解決しようとする課題は、工具用バッテリを電動工具以外の電気機器の電源として使用できるようにして工具用バッテリの利用価値を高めるとともに、前記電気機器を小型軽量化することである。
【課題を解決するための手段】
【０００６】
上記した課題は、各請求項の発明によって解決される。
請求項１の発明は、電動工具の電源として使用される工具用バッテリと、  前記電動工具以外の電気機器と、前記工具用バッテリと電気的、機械的に連結、あるいは連結解除可能に構成されたバッテリ側連結部と、前記電気機器と電気的、機械的に連結される機器側連結部とが設けられたアダプタとを有することを特徴とする。
【０００７】
本発明によると、アダプタによって工具用バッテリと電動工具以外の電気機器とを電気的、機械的に連結できるため、工具用バッテリを電動工具以外の電気機器の電源として使用できる。このため、工具用バッテリの利用範囲が拡大する。
また、前記電気機器側に電池を収納する必要がなくなるため、前記電気機器を小型軽量化できる。
【０００８】
請求項２の発明によると、アダプタの機器側連結部がバッテリ側連結部よりも小さく構成されていることを特徴とする。
このように、アダプタの機器側連結部を小さくできるため、この機器側連結部が連結される電気機器の被連結部を小さくできる。このため、前記電気機器を小型化できるようになる。
【０００９】
請求項３の発明によると、アダプタの機器側連結部とバッテリ側連結部とは電線で接続されていることを特徴とする。
このため、電気機器に工具用バッテリの重量が加わらないようにすることができ、その電気機器の取り扱い性が向上する。
【００１０】
請求項４の発明によると、電気機器とアダプタの機器側連結部とが連結、あるいは連結解除可能に構成されていることを特徴とする。
請求項５の発明によると、電気機器には、その電気機器を身体（衣服のポケット、腕、ヘルメット等）に装着するための装着具が設けられていることを特徴とする。
このため、手を離した状態で電気機器を使用できるようになり、その電気機器の取り扱い性が向上する。
請求項６の発明によると、アダプタには、そのアダプタを身体に装着するための装着具が設けられていることを特徴とする。
このため、アダプタの装着具を介して工具用バッテリの重量が身体に掛かり、電機機器に工具用バッテリの重量が掛からないようになる。したがって、電機機器の取り扱い性が向上する。
【００１１】
請求項７の発明によると、電気機器は、ハウジングと、そのハウジングに装着されて機器としての機能を果たす機能部とを備えており、前記機能部が前記ハウジングに対して角度調整可能なように装着されていることを特徴とする。
このため、例えば、電気機器を身体に保持した状態で、機能部の角度調整可能になる。したがって、電気機器の使い勝手が向上する。
請求項８の発明によると、電気機器のハウジングは、扁平な箱状に形成されていることを特徴とする。
このため、電気機器を身体に保持し易くなる。
請求項９の発明によると、電気機器のハウジングは、その電気機器を支柱や台に保持するための補助具が取付け可能に構成されていることを特徴とする。
このため、電気機器の取り扱い性が向上する。
ここで、補助具には、三脚、バンド、マグネット、及び特開2010-27276号に記載のフレキシブルレッグ等を含むものとする。
【００１２】
請求項１０の発明によると、アダプタのバッテリ側連結部は、前記電気機器の定格電圧と等しい電圧の前記工具用バッテリが連結できるように構成されていることを特徴とする。
このため、電気機器に対して異なる定格電圧の工具用バッテリが接続されるような不具合がない。
請求項１１の発明によると、アダプタの機器側連結部とバッテリ側連結部とは一体に構成されていることを特徴とする。
このため、電気機器と工具用バッテリとが一体化し、その工具用バッテリを電気機器の支持台として使用できるようになる。
請求項１２の発明によると、電気機器には、電線を有するアダプタの機器側連結部が連結される第一の連結部と、前記電線を有しないアダプタの機器側連結部が連結される第二の連結部とが設けられていることを特徴とする。
請求項１３の発明によると、電気機器は、ライト、拡声器、音楽再生機器、スキャナ、扇風機、距離計、及び墨だし器のいずれかであることを特徴とする。
請求項１４に記載のアダプタは、電動工具の電源として使用される工具用バッテリと電気的、機械的に連結、あるいは連結解除可能に構成されたバッテリ側連結部と、前記電動工具以外の電気機器と電気的、機械的に連結される機器側連結部とを有することを特徴とする。
【発明の効果】
【００１３】
本発明によると、工具用バッテリの利用価値が高まるとともに、電動工具以外の電気機器を小型軽量化できる。
【図面の簡単な説明】
【００１４】
【図１】本発明の実施形態１に係る電気機器システムの全体斜視図（Ａ図）、アダプタの一部を変更した例を表す斜視図（Ｂ図）である。
【図２】本発明の実施形態１に係る電気機器システムの分解斜視図である。
【図３】本発明の実施形態１に係る電気機器であるライトの正面図（Ａ図）、側面図（Ｂ図）、縦断面図（C-C矢視断面図）（Ｃ図）である。
【図４】前記ライトに三脚を装着した状態を表す正面図である。
【図５】変更例に係る電気機器システムの分解斜視図である。
【図６】変更例に係る電気機器（拡声器）の平面図（Ａ図）、正面図（Ｂ図）、側面図（Ｃ図）、及び背面図（Ｄ図）である。
【図７】変更例に係る電気機器（音楽再生機器）の側面図（Ａ図）、正面図（Ｂ図）である。
【図８】変更例に係る電気機器（スキャナ）の正面図（Ａ図）、側面図（Ｂ図）である。
【図９】変更例に係る電気機器（扇風機）の正面図（Ａ図）、側面図（Ｂ図）である。
【図１０】変更例に係る電気機器（距離計）の斜視図（Ａ図）、墨だし器の斜視図（Ｂ図）である。
【図１１】変更例に係るアダプタを表す斜視図（Ａ図）、前記アダプタの分解斜視図（Ｂ図）である。
【発明を実施するための形態】
【００１５】
［実施形態１］
以下、図１から図１１に基づいて本発明の実施形態１に係る電気機器ユニットについて説明する。本実施形態に係る電気機器ユニットはバッテリ式の携帯用ライトユニットである。
なお、図中に記載された前後左右及び上下は、電気機器（携帯用ライト等）の前後左右及び上下に対応している。
携帯用ライトユニット１０は、図１、図２に示すように、携帯用ライト２０と、電動工具の電源として使用される工具用バッテリ３０と、携帯用ライト２０と工具用バッテリ３０とを接続するアダプタ４０とから構成されている。
【００１６】
＜携帯用ライト２０について＞
携帯用ライト２０は、図１〜図４に示すように、角形をした扁平な箱状のハウジング２２を備えている。ハウジング２２は、図３に示すように、表面側ハウジング片２２ｆと裏面側ハウジング片２２ｂとが前後から合わせられることにより構成されている。そして、表面側ハウジング片２２ｆの右上（図３（Ａ）の左上）にスイッチ２３が突出するスイッチ用開口部２２ｈが形成されている。また、表面側ハウジング片２２ｆと裏面側ハウジング片２２ｂとの中央部分には、図３（Ａ）（Ｃ）に示すように、球状のライト本体２５が内側から嵌め込まれるライト用開口部２２ｚ，２２ｙが形成されている。即ち、球状のライト本体２５は、表面側ハウジング片２２ｆと裏面側ハウジング片２２ｂのライト用開口部２２ｚ，２２ｙから球面の一部分が前後に突出している。さらに、表面側ハウジング片２２ｆと裏面側ハウジング片２２ｂとの内側には、図３（Ｃ）に示すように、球状のライト本体２５を一定距離隔てて囲む凹球面２２ｘが形成されている。
【００１７】
ライト本体２５は、前面側が球状のレンズ部２５ｒとなっており、そのレンズ部２５ｒの内側にＬＥＤからなる光源（図示省略）が収納されている。また、ライト本体２５の後端面には、指で押し操作が可能な凹面２５ｑが形成されている。さらに、ライト本体の前面側と後面側との境界位置には、半径方向外側に突出する複数の突起部２２ｔがハウジング２２の凹球面２２ｘに沿って摺動可能なように形成されている。これにより、ハウジング２２の裏側からライト本体２５の凹面２５ｑを指で押し操作することで、ライト本体２５の向きを上下左右に調整することが可能になる。
即ち、ライト本体２５が本発明の機能部に相当する。
【００１８】
前記ハウジング２２の裏面側ハウジング片２２ｂの裏側には、図３（Ｂ）に示すように、クリップ２７を上下回動可能に支持する支持部２２ｍが形成されている。クリップ２７は、携帯用ライト２０を、例えば、胸のポケット等に取付けるための装着具である。クリップ２７は、下端の把持部２７ｚと、回動中心部２７ｃと、上端の操作部２７ｈとから構成されており、その回動中心部２７ｃが裏面側ハウジング片２２ｂ（ハウジング２２）の支持部２２ｍに上下回動可能な状態で連結されている。さらに、ハウジング２２とクリップ２７間には、そのクリップ２７の把持部２７ｚをハウジング２２の裏面に押付ける方向に付勢するバネ（図示省略）が装着されている。また、クリップ２７の操作部２７ｈを押し操作することで、そのクリップ２７の把持部２７ｚをバネ力に抗してハウジング２２の裏面から離すことが可能になる。
ハウジング２２の右下面には、アダプタ４０の専用ケーブル４５が通される開口部２８ｈが形成されている。ここで、開口部２８ｈの代わりに、図１、図２に示すように、コネクタ２８ｃを設け、このコネクタ２８ｃにアダプタ４０の機器側コネクタ４５ｆが接続されるようにすることも可能である。
さらに、ハウジング２２の中央下面には、図４に示すように、三脚２９が取付けられるネジ部２９ｃが形成されている。
【００１９】
＜工具用バッテリ３０について＞
工具用バッテリ３０は、電動工具（図示省略）のグリップ部に挿入されるバッテリであり、内部に単三電池サイズのセルが二本挿入できるように構成されている。工具用バッテリ３０は、図２に示すように、挿入部３２と蓋部３４とから構成されている。挿入部３２は、前記電動工具のグリップ部に挿入される部分であり、挿入先端側に電極３２ｐ，３２ｎが設けられている。蓋部３４は、前記電動工具のグリップ部の開口を塞ぐ部分であり、挿入部３２よりも一回り大きく形成されている。そして、蓋部３４と挿入部３２との境界位置側面に、工具用バッテリ３０を前記電動工具のグリップ部に固定する鉤部３４ｔが設けられている。鉤部３４ｔは、弾性力でロック位置に保持されており、工具用バッテリ３０の挿入部３２を前記電動工具のグリップ部に挿入する過程で弾性変形し、そのグリップ部の鉤受け部（図示省略）と係合するように構成されている。さらに、鉤部３４ｔには、操作部３４ｈが設けられており、その操作部３４ｈを押し操作することで、鉤部３４ｔは弾性力に抗してロック位置からロック解除位置まで変位し、前記グリップ部の鉤受け部から外れるようになっている。
これにより、工具用バッテリ３０の挿入部３２が電動工具のグリップ部に挿入されて、その工具用バッテリ３０の鉤部３４ｔが前記グリップ部の鉤受け部と係合することで、工具用バッテリ３０が電動工具のグリップ部に連結されるとともに、両者が電気的に接続されるようになる。
【００２０】
＜アダプタ４０について＞
アダプタ４０は、携帯用ライト２０と工具用バッテリ３０とを電気的、機械的に接続する部材であり、アダプタ本体４３と専用ケーブル４５とから構成されている。アダプタ本体４３は、前記電動工具のグリップ部とほぼ等しい構成で製作されている。即ち、アダプタ本体４３は、工具用バッテリ３０の挿入部３２が挿入されるケース状に形成されており、そのアダプタ本体４３の下端に開口部４３ｈが設けられている。そして、アダプタ本体４３の奥部に工具用バッテリ３０の電極３２ｐ，３２ｎが接続される電極（図示省略）が設けられている。また、アダプタ本体４３の開口部４３ｈの内側には、工具用バッテリ３０の鉤部３４ｔが掛けられる鉤受け部（図示省略）が設けられている。これにより、アダプタ本体４３に工具用バッテリ３０の挿入部３２が挿入されて、工具用バッテリ３０の鉤部３４ｔが弾性変形しつつアダプタ本体４３の鉤受け部と係合すると、図１に示すように、工具用バッテリ３０がアダプタ本体４３に連結される。そして、工具用バッテリ３０の電極３２ｐ，３２ｎがアダプタ本体４３の電極に接続されるようになる。また、工具用バッテリ３０の操作部３４ｈを押し操作することで、工具用バッテリ３０の鉤部３４ｔがアダプタ本体４３の鉤受け部から外れ、工具用バッテリ３０をアダプタ本体４３から容易に引き出せるようになる。
ここで、前記アダプタ本体４３には、携帯用ライト２０の定格電圧と等しい電圧以外の工具用バッテリ３０は連結できないように構成されている。
【００２１】
アダプタ本体４３の上部（開口部４３ｈの反対側）には、前記専用ケーブル４５の基端部側コネクタ４５ｍが接続される上部コネクタ４３ｘが設けられている。専用ケーブル４５は、自在に曲げ変形可能に構成された電線であり、基端部側にアダプタ本体４３の上部コネクタ４３ｘと接続可能に構成された基端部側コネクタ４５ｍが設けられている。また、専用ケーブル４５の先端部側には、携帯用ライト２０のコネクタ２８ｃに接続される機器側コネクタ４５ｆが設けられている。
ここで、図３等に示すように、専用ケーブル４５の先端部側に機器側コネクタ４５ｆを設けずに、その専用ケーブル４５を携帯用ライト２０の開口部２８ｈから携帯用ライト２０の内部に導いて、直接的に携帯用ライト２０の端子に接続する構成も可能である。
即ち、アダプタ本体４３が本発明のバッテリ側連結部に相当し、専用ケーブル４５の機器側コネクタ４５ｆ、あるいは専用ケーブル４５の先端部分が本発明の機器側連結部に相当する。
【００２２】
＜携帯用ライトユニット１０の使用方法について＞
携帯用ライトユニット１０を使用する場合には、アダプタ４０のアダプタ本体４３に対して工具用バッテリ３０を挿入接続する。なお、事前にアダプタ４０の専用ケーブル４５と携帯用ライト２０、及びアダプタ本体４３とは接続されているものとする。
次に、アダプタ本体４３及び工具用バッテリ３０を、例えば、ズボンのポケット等に収納した状態で、携帯用ライト２０をクリップ２７で、例えば、胸のポケットに取付ける。この状態で、携帯用ライト２０のスイッチ２３を操作することで携帯用ライト２０を点灯させることができる。これにより、暗い場所での両手を使っての作業が可能になる。また、携帯用ライト２０のハウジング２２に対してライト本体２５の向きを変えられるため、照射方向の調整も容易である。
また、三脚２９を利用すれば、定位置を安定的に照らすことが可能になる。
【００２３】
＜本実施形態に係る携帯用ライトユニット１０の長所について＞
本実施形態に係る携帯用ライトユニット１０によると、アダプタ４０によって工具用バッテリ３０と携帯用ライト２０とを電気的、機械的に連結できるため、工具用バッテリ３０を携帯用ライト２０の電源として使用できる。このため、工具用バッテリ３０の利用範囲が拡大する。
また、携帯用ライト２０に電池を収納する必要がなくなるため、携帯用ライト２０を小型軽量化できる。
また、アダプタ４０の機器側コネクタ４５ｆ（機器側連結部）をアダプタ本体４３（バッテリ側連結部）よりも小さくできるため、この機器側コネクタ４５ｆが連結される携帯用ライト２０のコネクタ２８ｃを小さくできる。このため、携帯用ライト２０を小型化できるようになる。
また、アダプタ４０の機器側コネクタ４５ｆとアダプタ本体４３とは専用ケーブル４５（電線）で接続されているため、携帯用ライト２０に工具用バッテリ３０の重量が加わらないようにすることができ、その携帯用ライト２０の取り扱い性が向上する。
【００２４】
また、携帯用ライト２０には、その携帯用ライト２０を身体に装着するためのクリップ２７（装着具）が設けられているため、手を離した状態で携帯用ライト２０を使用できる。このため、携帯用ライト２０の取り扱い性が向上する。
また、携帯用ライト２０のライト本体２５はハウジング２２に対して角度調整可能なように装着されているため、例えば、携帯用ライト２０を身体に保持した状態でライト本体２５の角度調整可能になる。したがって、携帯用ライト２０の使い勝手が向上する。
また、携帯用ライト２０のハウジング２２は扁平な箱状に形成されているため、携帯用ライト２０を身体に保持し易くなる。
また、携帯用ライト２０のハウジング２２は、三脚２９が取付け可能に構成されているため、携帯用ライト２０の取り扱い性が向上する。
【００２５】
＜変更例＞
ここで、本発明は上記実施形態に限定されるものではなく、本発明の要旨を逸脱しない範囲における変更が可能である。例えば、本実施形態では、挿入部３２と蓋部３４とから構成される工具用バッテリ３０を使用し、アダプタ本体４３を工具用バッテリ３０の挿入部３２が挿入されるケース状に形成する例を示した。しかし、図５に示すように、左右のスライドレール３６を利用して電動工具（図示省略）に対してスライド動作により連結される構成の工具用バッテリ３５を使用することも可能である。この場合、工具用バッテリ３５の構成に合わせてアダプタ本体４６の構成もスライド方式に変更する。即ち、アダプタ本体４６は、工具用バッテリ３５の上側を覆うキャップ状に形成されており、その内側左右端の位置に工具用バッテリ３５の左右のスライドレール３６と嵌合するスライド溝（図示省略）が形成されている。そして、工具用バッテリ３５のスライドレール３６の前部をアダプタ本体４６の前記スライド溝の後部に嵌合させた状態で、工具用バッテリ３５をアダプタ本体４６に対して前方にスライドさせることで、工具用バッテリ３５とアダプタ本体４６とを連結させることができる。アダプタ本体４６の前部には、専用ケーブル４５の基端部側コネクタ４５ｍが接続される前部コネクタ４６ｘが形成されている。また、アダプタ本体４６の上部には、例えば、ズボンのベルト等に掛けられるフック４７が固定されている。これにより、フック４７を介してアダプタ本体４６、工具用バッテリ３５の重量が身体に掛かり、携帯用ライト２０に工具用バッテリ３５の重量が掛からないようになる。したがって、携帯用ライト２０の取り扱い性が向上する。
【００２６】
また、本実施形態では、電気機器として携帯用ライト２０を例示したが、図６（Ａ）から（Ｄ）に示すように、携帯用ライト２０の代わりに拡声器５０に応用することも可能である。即ち、拡声器５０は、携帯用ライト２０と同様に、クリップ５３によって胸のポケット等に取付け可能な構成であり、図６（Ａ）に示すように、上面に電源用のスイッチ５７ｓが設けられている。そして、拡声器５０のハウジング５２の前面側に、図６（Ｂ）に示すように、スピーカ５５用の開口部５２ｈが形成されており、裏面側に、図６（Ｄ）に示すように、マイク５７用の開口部５２ｘが形成されている。
上記構成により、胸のポケット等に取付けた拡声器５０のスイッチ５７ｓを押しながら話をすることで、音声が増幅され、作業現場等でも良好に声が通るようになる。
【００２７】
また、電気機器として、図７（Ａ）（Ｂ）に示すように、例えば、音声再生機器６０を使用することも可能である。前記音声再生機器６０は、クリップ６３によって胸のポケット等に取付け可能な構成であり、ハウジング６２の側面に、図７（Ａ）に示すように、ＳＤカードが挿入される外部入力端子６４ｕと、ＵＳＢメモリ、外部スピーカ等が接続される外部入力端子６４ｄとが設けられている。さらに、ハウジング６２の前面には、スピーカ６５用の開口部６２ｈが設けられているとともに、電源用のスイッチ６７が設けられている。
これにより、スイッチ６７を操作することで、ＳＤカード等に記憶されている音楽データ等を再生させることができる。
【００２８】
また、電気機器として、図８（Ａ）（Ｂ）に示すように、例えば、図面等を読み取るスキャナ７０を使用することも可能である。前記スキャナ７０は、クリップ７３によって胸のポケット等に取付け可能な構成であり、ハウジング７２の側面に、図８（Ｂ）に示すように、スキャンスイッチ７４が設けられている。さらに、ハウジング７２の前面には、電源スイッチ７１と、図面等を読み取るための横長のレンズ７５とが設けられている。さらに、そのレンズ７５の内側にカメラ（図示省略）が収納されている。また、ハウジング６２の前面には、レンズ７５の下側に、そのレンズ７５と平行に図面上を転動するローラ７６が設けられている。
即ち、電源スイッチ７１をオンの状態で、スキャンスイッチ７４を操作して、レンズ７５とローラ７６とにより図面を一定方向になぞることで、その図面を読み取れるようになる。
また、電気機器として、図９（Ａ）（Ｂ）に示すように、扇風機８０を使用することも可能であるし、図１０（Ａ）（Ｂ）に示すように、レーザ式の距離計８５やレーザ式の墨だし器８７を使用することも可能である。
【００２９】
また、本実施形態では、アダプタ４０を専用ケーブル４５とアダプタ本体４３，４６とから構成する例を示したが、図１１（Ａ）（Ｂ）に示すように、専用ケーブル４５を省略し、アダプタ本体４６に電気機器、例えば、扇風機８０のコネクタ８１と直接的に接続可能なコネクタ４６ｃを設けることも可能である。
これにより、扇風機８０と工具用バッテリ３５とが一体化し、その工具用バッテリ３５を扇風機８０の支持台として使用できるようになる。ここで、図１１（Ａ）（Ｂ）では、前記扇風機８０（電気機器）に一体型（専用ケーブル４５を有しない）のアダプタ４０が接続されるコネクタ８１のみを設ける例を示したが、前記コネクタ８１と共に、図２に示す専用ケーブル４５付きアダプタ４０が接続されるコネクタ２８ｃを設けることも可能である。
即ち、前記コネクタ２８ｃが本発明の第一の連結部に相当し、前記コネクタ８１が本発明の第二の連結部に相当する。
ここで、本実施形態では、電気機器として携帯用ライト２０、拡声器５０、音声再生機器６０、スキャナ７０、扇風機８０、レーザ式の距離計８５、及びレーザ式の墨だし器８７を例示したが、これ以外の電気機器にも応用可能である。例えば、プロジェクタ、空気清浄機、計算機、電動十徳ナイフ、電子メモパッド、デジカメ、マッサージ器、ＩＣレコーダ、ドライヤ、電動髭剃り、電動歯ブラシ、歩数計、健康チェッカ、ラジオ、及び虫除け等にも応用可能である。
【符号の説明】
【００３０】
２０・・・・・携帯用ライト（電気機器）
２５・・・・・ライト本体（機能部）
２７・・・・・クリップ（装着具）
２８ｃ・・・・コネクタ（第一の連結部）
２９・・・・・三脚（補助具）
３０、３５・・工具用バッテリ
４０・・・・・アダプタ
４３・・・・・アダプタ本体（バッテリ側連結部）
４５・・・・・専用ケーブル（電線）
４５ｆ・・・・機器側コネクタ（機器側連結部）
４６・・・・・アダプタ本体（バッテリ側連結部）
４６ｃ・・・・コネクタ（機器側連結部）
４７・・・・・フック（装着具）
５０・・・・・拡声器（電気機器）
６０・・・・・音声再生機器（電気機器）
７０・・・・・スキャナ（電気機器）
８０・・・・・扇風機（電気機器）
８１・・・・・コネクタ（第二の連結部）
８５・・・・・距離計（電気機器）
８７・・・・・墨だし器（電気機器）
【図１】
2011233410.tif 000003
【図２】
2011233410.tif 000004
【図３】
2011233410.tif 000005
【図４】
2011233410.tif 000006
【図５】
2011233410.tif 000007
【図６】
2011233410.tif 000008
【図７】
2011233410.tif 000009
【図８】
2011233410.tif 000010
【図９】
2011233410.tif 000011
【図１０】
2011233410.tif 000012
【図１１】
2011233410.tif 000013